(57)【要約】【課題】二輪車の前部に装着した場合では運転者の視界を妨げず子供を安定して着座させ、着座した子供の前方保護機能を向上させ、また、二輪車の後部に装着した場合では成長した子供の上部背凭れ又はヘッドレストとし膝を前に出せるようにした二輪車用子供座席を提供すること。【解決手段】子供が着座する座部３と、後壁部４と左右側壁部５とを備えて前記座部３の前方及び上方が開口した座席１に、ガード部材８が、その壁体８ａを前記座席１の前方に位置させた状態で、該壁体８ａの後方と、左右支持アーム８ｂの下方と、前記座席１の左右側壁部５の前方と、前記座席１の座部３の上方とで、座部３に着座した子供の脚を挿出し得る脚挿出部７を形成すると共に、その壁体８ａが着座した子供の前方を保護する状態と；その壁体８ａを前記座席１の後方に位置させた状態で、その左右支持アーム８ｂを前記座席１の左右側壁部５に重合すると共に、その壁体８ａが着座した子供の上部背凭れ又はヘッドレストとなる状態と；に位置変更可能に取り付けられている。【選択図】図１
2005343265.tif 000002
【特許請求の範囲】
【請求項１】
子供が着座する座部と、該座部の後方及び左右の三方を囲む後壁部と左右側壁部とを備えて前記座部の前方及び上方が開口した座席に、
壁体と該壁体の左右に前後方向へ延設された左右支持アームで構成されるガード部材が、その壁体を前記座席の前方に位置させた状態で、該壁体の後方と、左右支持アームの下方と、前記座席の左右側壁部の前方と、前記座席の座部の上方とで、座部に着座した子供の脚を挿出し得る脚挿出部を形成すると共に、その壁体が着座した子供の前方を保護する状態と；
その壁体を前記座席の後方に位置させた状態で、その左右支持アームを前記座席の左右側壁部に重合すると共に、その壁体が着座した子供の上部背凭れ又はヘッドレストとなる状態と；
に位置変更可能に取り付けられていることを特徴とする二輪車用子供座席。
【請求項２】
前記ガード部材は、左右支持アームの自由端を前記左右側壁部の前端上部に水平軸回りで回動可能に枢着すると共に、壁体を座部の前方と後方とに位置決め固定可能としてあることを特徴とする請求項１に記載の二輪車用子供座席。
【請求項３】
前記座席の前方には座席に着座した子供が掴む子供用グリップが設けられており、前記ガード部材の壁体は、ガード部材を座席の前方に位置させた状態では、この子供用グリップの前側に配置されることを特徴とする請求項１又は２に記載の二輪車用子供座席。
【請求項４】
前記座席は、二輪車の前部と後部とに付け替え可能としてあることを特徴とする請求項１〜３の何れかに記載の二輪車用子供座席。
【請求項５】
前記座席の底面には複数の係止突起が形成され、前記二輪車の前部と後部とには前記係止突起が嵌合する嵌合穴及び該嵌合穴に嵌合された前記係止突起を係止するロック部材を有するスライド部材をスライド可能に嵌挿した取付台が取り付けられ、前記ロック部材により前記座席を前記取付台に着脱可能としてあることを特徴とする請求項１〜４の何れかに記載の二輪車用子供座席。
【発明の詳細な説明】
【技術分野】
【０００１】
本発明は、二輪車用子供座席に関するものである。
【背景技術】
【０００２】
一般に、二輪車の運転者にとっては、子供座席を二輪車の前部に装着する方が子供の様子を見守り易いが、子供が成長して体重が増加してくると、二輪車の前部では子供の乗降時、後部荷台よりも高く持ち上げる必要があり大変な労力が掛かりこれを軽減するためや安定感の向上等のために二輪車の後部荷台に子供座席を装着することが望ましい。
そこで、従来では、子供座席を二輪車の前部に装着するものと、後部荷台に装着するものとが別々に販売されている。
そのため、従来では、子供が小さい間は二輪車の前部に装着する前部専用の子供座席を購入し、子供が大きくなってくると二輪車の後部に装着する後部専用の子供座席を購入しなければならなかった。
【０００３】
なお、この種の二輪車用子供座席として、座席の後方上部に背凭れを設け、子供を乗せないときには背凭れを前方に倒して荷籠として使用できるようにしたものが提案されている（例えば、特許文献１参照）。
また、子供の成長に応じて座席の背凭れを含む支持枠の高さを調整可能としたものが提案されている（例えば、特許文献２参照）。
【特許文献１】特開２００４−３４９１９号公報
【特許文献２】特開平９−１３６６８２号公報
【発明の開示】
【発明が解決しようとする課題】
【０００４】
前記特許文献１のものは、二輪車の後部荷台に装着する子供座席について、子供を乗せないときには荷籠として利用できるようにしたものであるが、これを二輪車の前部に装着して子供座席として使用しようとすると、背凭れが運転者の前方視界を妨げる欠点があり、また、背凭れを座席の前方に倒して荷籠とした状態で子供を乗せようとすると、子供の両脚を両側へ垂下させて座部に跨がるように着座させることができず、両脚を荷籠の中に折り曲げた状態で収容させなければならなくなり、非常に窮屈であると共に、不安定でもあり、子供を安定して着座させることができない欠点がある。
【０００５】
また、前記特許文献２のものは、子供の成長を考慮しているが、背凭れを含む支持枠を座席の後部で上下方向に高さ調整可能としているだけであるため、二輪車の前部に装着した場合、背凭れを含む支持枠を高くすると運転者の視界が妨げられて高くすることができず、これでは、高さ調整構造を全く活用できなくなる欠点があった。
本発明は、従来の二輪車用子供座席の前記欠点に鑑みて提案されたものであって、その目的とするところは、二輪車の前部に装着した場合では運転者の視界を妨げることなく子供を安定して着座させることができると共に、着座した子供の前方保護機能を向上させ、また、二輪車の後部に装着した場合では成長した子供の上部背凭れ又はヘッドレストとして利用できるようにした二輪車用子供座席を提供することにある。
【課題を解決するための手段】
【０００６】
前記目的を達成するために本発明は、子供が着座する座部と、該座部の後方及び左右の三方を囲む後壁部と左右側壁部とを備えて前記座部の前方及び上方が開口した座席に、
壁体と該壁体の左右に前後方向へ延設された左右支持アームで構成されるガード部材が、その壁体を前記座席の前方に位置させた状態で、該壁体の後方と、左右支持アームの下方と、前記座席の左右側壁部の前方と、前記座席の座部の上方とで、座部に着座した子供の脚を挿出し得る脚挿出部を形成すると共に、その壁体が着座した子供の前方を保護する状態と；
その壁体を前記座席の後方に位置させた状態で、その左右支持アームを前記座席の左右側壁部に重合すると共に、その壁体が着座した子供の上部背凭れ又はヘッドレストとなる状態と；
に位置変更可能に取り付けられていることを特徴とするものである。
【０００７】
上記構成中、左右支持アームを前記座席の左右側壁部に重合するという用語は、左右支持アームが、左右側壁部の外側に重合する場合と、内側に重合する場合と、左右側壁部の上縁に重合する場合とを含むものである。
この構成によれば、子供の小さい間は、座席を二輪車の前部に装着し、その際、ガード部材の壁体により座席の前部を保護することができるとともに、子供を座部に跨がらせて両脚をガード部材の左右支持アーム等で形成される脚挿出部から挿出させて安定した姿勢に着座させることができる。さらに、ガード部材の左右支持アームがサイドガードとなり、小さい子供に対する保護機能が向上する。しかも、運転者の視界を妨げることもない。そして、子供が大きくなってくると、座席を二輪車の後部に装着してガード部材を座席後方に付け替えて上部背凭れ又はヘッドレストとすることができるとともに、座席の前方を広くして子供の両膝を前にはみ出させてゆったりと着座させることができ大きくなった子供の乗車に適合させることができる。なお、子供座席を二輪車の後部に装着した場合には、子供座席の前部が二輪車の運転者によって保護されるため、ガード部材がなくてもよい。
【０００８】
前記ガード部材は、左右支持アームの自由端を前記左右側壁部の前端上部に水平軸回りで回動可能に枢着すると共に、壁体を座部の前方と後方とに位置決め固定可能としてあることを特徴としている。
この構成によれば、ガード部材を上部背凭れ又はヘッドレストに変更する作業を容易化することができる。また、ガード部材を座席の前方に位置させて使用する際には、壁体によって子供の前方を横方向に広く保護させることができ、しかも、左右支持アームによって子供の両脚上方を保護させることができるとともに、この左右支持アームによってガード部材と座席の左右側壁部とを前後方向に強固に連結させることができる。
【０００９】
前記座席の前方には座席に着座した子供が掴む子供用グリップが設けられており、前記ガード部材の壁体は、ガード部材を座席の前方に位置させた状態では、この子供用グリップの前側に配置されることを特徴としている。
この構成によって、子供用グリップの把持をガード部材の壁体に阻害されることなく行わせることができ、しかも、子供用グリップの前方を壁体で保護させることができる。
前記座席は、二輪車の前部と後部とに付け替え可能としてあることを特徴としている。
前記座席の底面には複数の係止突起が形成され、前記二輪車の前部と後部とには前記係止突起が嵌合する嵌合穴及び該嵌合穴に嵌合された前記係止突起を係止するロック部材を有するスライド部材をスライド可能に嵌挿した取付台が取り付けられ、前記ロック部材により前記座席を前記取付台に着脱可能としてあることを特徴としている。
【００１０】
この構成によって、二輪車に対する座席の着脱が容易となる。
【発明の効果】
【００１１】
本発明によれば、二輪車の前部に装着した場合では運転者の視界を妨げることなく子供を安定して着座させることができると共に、着座した子供の前方保護機能を向上させ、また、二輪車の後部に装着した場合では成長した子供の上部背凭れ又はヘッドレストとして利用できるようにした二輪車用子供座席を提供することができる。従って、子供が小さい間は二輪車の前部に装着し、子供が大きくなると二輪車の後部に装着することができ、子供が大きくなっても買い替えなくてよく、同じものを使える。
【発明を実施するための最良の形態】
【００１２】
以下、本発明の実施の形態を図面に基づいて説明する。
本発明に係る子供座席１は、図１及び図２に示すように、子供が着座する座部３と、この座部３の後方及び左右の三方を囲む後壁部４と左右側壁部５とを備えて前記座部３の前方及び上方が開口し、全体が樹脂で構成されている。座部３の上面及び後壁部４の内面にはクッション材（図示省略）が配置されている。また、後壁部４及び左右側壁部５には座部３に着座した子供の安全ベルト（図示省略）が設けられている。前記座部３の前方には子供が掴む樹脂製の子供用グリップ６が設けられている。
【００１３】
上記子供用グリップ６の前面には、図１及び図２に示すように、ガード部材８が設けられている。このガード部材８は、壁体８ａと、この壁体８ａの左右から前後方向に延設された左右支持アーム８ｂとを有し、全体が樹脂で構成されている。
上記ガード部材８は、座席１に対して、壁体８ａを座席１の前方に位置させた状態で、壁体８ａの後方と左右支持アーム８ｂの下方と、座席１の左右側壁部５の前方と、座席１の座部３の上方とで、座部３に着座した子供の脚を挿出し得る脚挿出部７を形成すると共に、壁体８ａが着座した子供の前方を保護する状態（図１の実線状態）と、壁体８ａを座席１の後方に位置させた状態で、左右支持アーム８ｂを座席１の左右側壁部５に重合すると共に、壁体８ａが着座した子供の上部背凭れ又はヘッドレストとなる状態（図１の鎖線状態）とに位置変更可能に取り付けられている。
【００１４】
そのための構成として、左右支持アーム８ｂの自由端を座席１の左右側壁部５の前端上部に枢軸９を介して水平軸回りで回動可能に枢着し、また、壁体８ａを子供用グリップ６の前面と座席１の後壁部４の後面上部とに第１固定ブラケット１０と第２固定ブラケット１１とを介して締め付けボルト１２で着脱可能に固定させるようにしている。
第１固定ブラケット１０は、図３の（Ａ）（Ｂ）に示すように、略半円弧状に二分割されたクランプ片１０ａ，１０ｂの一端が薄肉とされたヒンジ部１０ｃで開閉可能とされており、両クランプ片１０ａ，１０ｂの他端に形成された接合フランジ部１０ｄ，１０ｅにボルト挿通穴１０ｆ，１０ｇが形成されており、全体が樹脂製とされ、一方の接合フランジ部１０ｄのボルト挿通穴１０ｆの外面には前記締め付けボルト１２用のナット１０ｈが固着されている。この第１固定ブラケット１０は、図１及び図２に示すように、子供用グリップ６の下部の横桟部材６ａに装着され、ガード部材８を座席１の前方に位置させるとき、壁体８ａのボルト挿通穴８ｄを通して締め付けボルト１２をナット１０ｈに締め付けることにより固定される。
【００１５】
第２固定ブラケット１１は、図４の（Ａ）（Ｂ）に示すように、細長い板状で樹脂製とされ、両端に取付穴１１ａ，１１ｂが形成され、長手方向中央部にボルト挿通穴１１ｃが形成され、ナット１１ｄが固着されている。この第２固定ブラケット１１は、図１及び図２に示すように、座席１の後壁部４の上部外面に前記取付穴１１ａ，１１ｂを利用して固定されており、ガード部材８を座席１の後方に位置させて上部背凭れ又はヘッドレストとするとき、壁体８ａのボルト挿通穴８ｄを通して締め付けボルト１２をナット１１ｄに締め付けることにより固定される。
【００１６】
前記ガード部材８には、図１に示すように、上部背凭れ又はヘッドレストとして使用される際に前記後壁部４の第２固定ブラケット１１の上面に当接するストッパー突起８ｃが設けてある。このストッパー突起８ｃによって、ガード部材８を上部背凭れ又はヘッドレストとして使用する場合のガード部材８の下向き荷重を後壁部４に負担させて締め付けボルト１２の荷重負担を軽減させている。
座席１の底面には、図５に示すように、複数の係止突起１３が形成され、二輪車２の前部と後部とには、前記係止突起１３が嵌合する嵌合穴１４及び該嵌合穴１４に嵌合された前記係止突起１３を係止するロック部材１５を有するスライド部材１９をスライド可能に嵌挿する取付台１６が取り付けられ、前記ロック部材１５により座席１を前記取付台１６に着脱可能に取り付けてある。
【００１７】
取付台１６は、全体が樹脂製とされ、図６の（Ａ）（Ｂ）に示すように、二輪車２の前部のハンドルステム部１７と、後部荷台１８とに取り付けられる。
取付台１６には、図７（Ａ）〜（Ｄ）に示すように、樹脂製のスライド部材１９が二輪車の前後方向にスライド可能に嵌挿されており、このスライド部材１９に前記ロック部材１５が分岐形成されている。
スライド部材１９は、図７の（Ａ）に示すように、取付台１６に対して右方（二輪車の前方）へ押し込んで収納した状態と、図７の（Ｄ）に示すように、取付台１６に対して左方（二輪車の後方）へ引き出した状態とにスライド可能とされており、この両方の状態を保持させておくために、取付台１６の後端一部には係止部１６ａが設けられ、これと対応してスライド部材１９の後端付近には第１係止部１９ａと第２係止部１９ｂとを有する操作片部１９ｃが設けられている。
【００１８】
操作片部１９ｃは、第１係止部１９ａ及び第２係止部１９ｂを、取付台１６の係止部１６ａに対して係脱操作可能とするために、スライド部材１９の後端付近に屈曲可能な舌片状に形成されており、この操作片部１９ｃを下方に押圧して第１係止部１９ａを取付台１６の係止部１６ａから離脱させることにより、スライド部材１９を取付台１６から引き出すことが可能とされている。
上記操作片部１９ｃの後端には、誤操作防止用のストッパー２０が二輪車２の前後方向にスライド可能に装着されている。このストッパー２０は、樹脂製とされ、スライド部材１９が取付台１６に対して収納状態にあるとき、操作片部１９ｃが誤って下方へ押圧操作されることを阻止させるために設けられているもので、この誤操作防止時には、図７の（Ａ）に示すように、ストッパー２０が操作片部１９ｃに対して後方へ引き出されている。ストッパー２０が後方へ引き出されていると、操作片部１９ｃを下方へ押圧しようとしても、該ストッパー２０の後端がスライド部材１９の後端の取手部１９ｄに当接して阻止される。
【００１９】
しかし、ストッパー２０を、図７の（Ｂ）に示すように、操作片部１９ｃに対して前方へ押し込むと、該ストッパー２０の後端がスライド部材１９の後端の取手部１９ｄに当接しなくなり、図７の（Ｃ）に示すように、操作片部１９ｃを下方に押圧して第１係止部１９ａを取付台１６の係止部１６ａから離脱させることができる。これによって、図７の（Ｄ）に示すように、スライド部材１９の後端の取手部１９ｄを持ってスライド部材１９を取付台１６に対して後方へ引き出すことができる。
このようにスライド部材１９を引き出すと、座席１の底面の係止突起１３に対するロック部材１５の係止が解除され、座席１を取付台１６から取り外して二輪車２の前部から後部へ、又は、後部から前部へ付け替えることができる。
【００２０】
なお、座席１の付け替えが終われば、図７の（Ｄ）の状態からスライド部材１９を右方に押し込むことにより、座席１の底面の係止突起１３にロック部材１５が係止し、スライド部材１９の操作片部１９ｃの第１係止部１９ａが取付台１６の係止部１６ａに係止する。そして、ストッパー２０を、図７の（Ａ）に示すように、後方に引き出しておけば、上記状態が保持され、誤操作が防止される。
図７の（Ａ）〜（Ｄ）は、取付台１６を二輪車の後部荷台１８に取り付けた場合を示しているが、同様な取付台１６は二輪車の前部のハンドルステム部１７にも取り付けられ、これによって、二輪車２の前部と後部とに座席１をワンタッチ操作で付け替えることができるものである。なお、取付台１６は、二輪車２の前後で共通のものを使用して座席１とともに付け替え可能としてもよく、また、二輪車２の前後で取付構造が異なるものを使用してもよい。この場合、二輪車２の前後の取付台１６と座席１との着脱構造関係は前記した構造を採用し、取付台１６を二輪車２の前部と後部に取り付ける部分の構造を二輪車２の前部と後部のそれぞれの部分に適合するように構成するものとする。
【００２１】
図６の（Ａ）（Ｂ）は、座席１の両側に樹脂製の子供の足乗せ部２１を設けている。また、図６の（Ａ）（Ｂ）では、二輪車２の前後に座席１と荷籠２２とを付け替え可能に装着した場合を例示している。
本発明に係る二輪車用子供座席の実施形態は、以上の構成からなるもので、次に、使用形態及び動作を説明する。
子供の小さい間（例えば、生後１０ヶ月〜３歳まで）は、図６の（Ａ）に示すように、二輪車２の前部のハンドルステム部１７に取り付けた取付台１６に座席１を装着する。この装着方法は、図５及び図７の（Ａ）〜（Ｄ）を参照して説明した前述の要領によって行えばよく、その詳細は省略する。
【００２２】
そして、子供がある程度大きくなると（例えば、３歳以上）、図６の（Ｂ）に示すように、座席１を二輪車２の前部から外して後部荷台１８に前述した要領で付け替える。そして、ガード部材８を上部背凭れ又はヘッドレストとして使用する。
このように、本発明に係る二輪車用子供座席は、子供が小さい間は、二輪車２の前部に装着して使用することができる。その際、ガード部材８により座席の前部を保護することができるとともに、子供を座部３に跨がらせて着座させ、両脚を両側の脚挿出部７から挿出垂下させて十分な着座スペースを確保して安定した状態に着座させることができる。
【００２３】
そして、子供が大きくなってくると、座席１を二輪車２の後部に装着してガード部材８を座席後方に位置させて上部背凭れ又はヘッドレストとすることができるとともに、座席の前方からガード部材８をなくして子供の両膝を前にはみ出させてゆったりと着座させることができ大きくなった子供の乗車に適合させることができる。
また、ガード部材８は、上部背凭れ又はヘッドレストと兼用可能とされた壁体８ａと、該壁体８ａの左右から前後方向に延設された左右支持アーム８ｂとを有し、該左右支持アーム８ｂの自由端を座席１の左右側壁部５の前端上部に枢軸９を介して水平軸回りで回動可能に枢着してあるため、ガード部材８を上部背凭れ又はヘッドレストに位置変更する作業を容易化することができる。また、ガード部材８を座席１の前方に位置させて使用する際には、壁体８ａによって子供の前方を横方向に広く保護させることができ、しかも、左右支持アーム８ｂによって脚挿出部７から挿出する子供の脚の上部を保護させることができるとともに、この左右支持アーム８ｂによってガード部材８と座席１の両側壁部５とを前後方向に強固に連結させることができる。
【００２４】
本発明に係る二輪車用子供座席は、以上の実施形態からなるが、本発明は上記実施形態に限定されるものではなく、特許請求の範囲に記載した意味と範囲内において自由に変更して実施してもよい。例えば、ガード部材８は、枢軸９を介して水平軸回りで回動可能に枢着した場合を示しているが、枢着以外の方法で取り付けてもよい。また、ガード部材８は、上部背凭れ又はヘッドレストとして使用する場合のほか、上部背凭れ兼ヘッドレストとして使用してもよいものである。また、上記実施形態において、左右支持アームは、左右側壁部の外側に重合する場合と、内側に重合する場合と、左右側壁部の上縁に重合する場合とのいずれであってもよいものである。また、座席１を二輪車２に装着するに当たり、取付台１６を用いると付け替えが容易であるが、他の構造で着脱可能に装着するようにしてもよい。さらに、図６の（Ａ）（Ｂ）の実施形態では、座席１と荷籠２２とを併用した場合を例示しているが、荷籠２２は省略してもよい。また、本発明は、自転車、動力アシスト付き自転車、原動機付き自転車等の二輪車全般に適用可能である。座席１、ガード部材８、取付台１６等は樹脂製としたが、これらの材質は樹脂以外であってもよい。
【図面の簡単な説明】
【００２５】
【図１】本発明に係る子供座席の概略側面図である。
【図２】本発明に係る子供座席の概略斜視図である。
【図３】（Ａ）（Ｂ）は第１固定ブラケットの展開状態の正面図と縦断側面図である。
【図４】（Ａ）（Ｂ）は第２固定ブラケットの正面図と縦断側面図である。
【図５】本発明に係る子供座席底面と取付台との係止関係を示す概略斜視図である。
【図６】（Ａ）（Ｂ）は、本発明に係る子供座席を二輪車の前部と後部とに装着した実施形態の側面図を示している。
【図７】（Ａ）〜（Ｄ）は本発明に係る子供座席の取付けに用いる取付台のロック状態及びロック解除操作時の動作順序を示す縦断側面図である。
【符号の説明】
【００２６】
１    座席
２    二輪車
３    座部
４    後壁部
５    左右側壁部
６    子供用グリップ
７    脚挿出部
８    ガード部材
８ａ  壁体
８ｂ  左右支持アーム
９    枢軸
１０  第１固定ブラケット
１１  第２固定ブラケット
１２  締め付けボルト
１３  係止突起
１４  嵌合穴
１５  ロック部材
１６  取付台
１７  ハンドルステム部
１８  後部荷台
１９  スライド部材
２０  ストッパー
２１  子供の足乗せ部
２２  荷籠
【図１】
2005343265.tif 000003
【図２】
2005343265.tif 000004
【図３】
2005343265.tif 000005
【図４】
2005343265.tif 000006
【図５】
2005343265.tif 000007
【図６】
2005343265.tif 000008
【図７】
2005343265.tif 000009